(57)【要約】【課題】高級感のある外観意匠を呈するとともに、肌触りが良好な布地を提供する。【解決手段】転写捺染方法は、布地１１の表面にレース地１２を重ね合わせて重畳体１０をなす重畳工程と、重畳工程においてなされた重畳体１０の表面を加熱押圧してレース地１２の網目模様１２ａに対応する立体模様を布地１１の表面に転写捺染する転写捺染工程と、転写捺染工程において転写捺染された布地１１からレース地１２を剥離する剥離工程と、からなる。重畳工程は、裏面に昇華性染料が付着した表転写紙１３をレース地１２の表面に重ね合わせる工程を有し、転写捺染工程は、表転写紙１３の昇華性染料が昇華してレース地１２の網目を通過することによって、布地１１の表面にさらに転写捺染する工程を有し、剥離工程は、重畳工程において重ね合わされた表転写紙１３をレース地１２から剥離する工程を有する。【選択図】図２
2017057509.tif 000002
【特許請求の範囲】
【請求項１】
布地の両面のうち一方の面にレース地を重ね合わせて重畳体をなす重畳工程と、
該重畳工程においてなされた前記重畳体の両面のうち一方の面を加熱押圧して前記レース地の網目模様に対応する立体模様を前記布地の両面のうち一方の面に転写捺染する転写捺染工程と、
該転写捺染工程において転写捺染された前記布地から前記レース地を剥離する剥離工程と、を有してなる転写捺染方法。
【請求項２】
前記重畳工程は、昇華性染料が付着した転写紙を前記レース地の両面のうち一方の面に重ね合わせる工程をさらに有し、
前記転写捺染工程は、前記転写紙の前記昇華性染料が昇華して前記レース地の前記網目を通過することによって、前記布地の両面のうち一方の面にさらに転写捺染する工程をさらに有し、
前記剥離工程は、前記重畳工程において重ね合わされた前記転写紙を前記レース地から剥離する工程をさらに有してなる請求項１に記載の転写捺染方法。
【請求項３】
前記重畳工程は、下紙を前記布地の両面のうち他方の面に重ね合わせる工程をさらに有し、
前記剥離工程は、前記重畳工程において重ね合わされた前記下紙を前記布地から剥離する工程をさらに有してなる請求項１又は２に記載の転写捺染方法。
【請求項４】
前記重畳工程は、昇華性染料が付着した第２の転写紙を前記布地の両面のうち他方の面に重ね合わせる工程をさらに有し、
前記転写捺染工程は、前記第２の転写紙の前記昇華性染料が昇華することによって、前記布地の両面のうち他方の面にさらに転写捺染する工程をさらに有し、
前記剥離工程は、前記重畳工程において重ね合わされた前記第２の転写紙を前記布地から剥離する工程をさらに有してなる請求項１又は２に記載の転写捺染方法。
【発明の詳細な説明】
【技術分野】
【０００１】
本発明は、布地に模様を転写捺染する転写捺染方法に関する。
【背景技術】
【０００２】
従来の布地の表面には、特に、被服に使用される布地の表面には、外観意匠を向上させるために、各種の模様が印刷されている。さらに、高級感のある外観意匠を呈するために、例えば、網目模様を有するレース地が布地の表面に接着されたものが知られている（例えば、特許文献１参照）。
【先行技術文献】
【特許文献】
【０００３】
【特許文献１】特開２００９−２１５６７７号公報
【発明の概要】
【発明が解決しようとする課題】
【０００４】
しかしながら、前記従来のレース地が接着された布地を使用した被服では、レース地の表面がざらざらとした触感を有するから、例えば、レース地が皮膚に接触すると、レース地の肌触りが良好でないために、肌荒れ等の皮膚障害を引き起こすといった問題があった。
【０００５】
本発明は、上述の事情に鑑みて、高級感のある外観意匠を呈するとともに、肌触りが良好な布地を提供することを目的としている。
【課題を解決するための手段】
【０００６】
上記目的を達成するための手段を図面の参照符号を付して示せば、請求項１の発明に係る転写捺染方法は、布地１１の両面のうちの一方の面（表面）にレース地１２を重ね合わせて重畳体１０をなす重畳工程Ｓ１と、重畳工程Ｓ１においてなされた重畳体１０の両面のうちの一方の面（表面）を加熱押圧してレース地１２の網目模様１２ａに対応する立体模様１１ａを布地１１の両面のうちの一方の面（表面）に転写捺染する転写捺染工程Ｓ２と、転写捺染工程Ｓ２において転写捺染された布地１１からレース地１２を剥離する剥離工程Ｓ３と、を有してなることを特徴としている。
【０００７】
請求項２の発明に係る転写捺染方法は、上記請求項１の転写捺染方法において、重畳工程Ｓ１は、昇華性染料１３ａが付着した表転写紙１３（転写紙）をレース地１２の両面のうちの一方の面（表面）に重ね合わせる工程をさらに有し、転写捺染工程Ｓ２は、表転写紙１３（転写紙）の昇華性染料１３ａが昇華してレース地１２の網目を通過することによって、布地１１の両面のうち一方の面（表面）にさらに転写捺染する工程をさらに有し、剥離工程Ｓ３は、重畳工程Ｓ１において重ね合わされた表転写紙１３（転写紙）をレース地１２から剥離する工程をさらに有してなることを特徴としている。
【０００８】
請求項３の発明は、上記請求項１又は２の転写捺染方法において、重畳工程Ｓ１は、バックペーパ１４（下紙）を布地１１の両面のうち他方の面（裏面）に重ね合わせる工程をさらに有し、剥離工程Ｓ３は、重畳工程Ｓ１において重ね合わされたバックペーパ１４（下紙）を布地１１から剥離する工程をさらに有してなることを特徴としている。
【０００９】
請求項４の発明は、上記請求項１又は２の転写捺染方法において、重畳工程Ｓ１は、昇華性染料１５ａが付着した裏転写紙１５（第２の転写紙）を布地１１の両面のうち他方の面（裏面）に重ね合わせる工程をさらに有し、転写捺染工程Ｓ２は、裏転写紙１５（第２の転写紙）の昇華性染料１５ａが昇華することによって、布地１１の両面のうち他方の面（裏面）にさらに転写捺染する工程をさらに有し、剥離工程Ｓ３は、重畳工程Ｓ１において重ね合わされた裏転写紙１５（第２の転写紙）を布地１１から剥離する工程をさらに有してなることを特徴としている。
【発明の効果】
【００１０】
以下に、本発明の効果について、図面の参照符号を付して説明する。まず、請求項１の発明に係る転写捺染方法では、転写捺染工程Ｓ２において、レース地１２の網目模様１２ａに対応する立体模様１１ａが布地１１の両面のうち一方の面（表面）に転写捺染されるから、高級感のある外観意匠を呈することができる。さらに、請求項１の発明に係る転写捺染方法では、剥離工程Ｓ３において、レース地１２が布地１１から剥離され、布地１１の両面のうち一方の面（表面）が露出するから、肌触りが良好な布地１１を提供することができる。
【００１１】
さらに、請求項１の発明によれば、転写捺染工程Ｓ２において、レース地１２の網目模様１２ａに対応する立体模様１１ａを布地１１の両面のうち一方の面（表面）に転写捺染するから、例えば、レース地１２の網目模様１２ａに相当する凹凸型を有する金型ロールを製作する場合に比して、格段に安価な構成で転写捺染を行うことができる。また、転写捺染工程Ｓ２において、転写捺染を行ったレース地１２は、例えば、漂白や脱色を行うことにより再利用することが可能であるから、転写捺染のコストをさらに低減することができる。
【００１２】
請求項２の発明によれば、転写捺染工程Ｓ２において、表転写紙１３（転写紙）の昇華性染料１３ａが昇華してレース地１２の網目を通過することによって、布地１１の両面のうち一方の面（表面）にさらに転写捺染するから、布地１１の外観意匠をより向上させることができる。
【００１３】
さらに、請求項２の発明によれば、転写捺染工程Ｓ２において、表転写紙１３（転写紙）の昇華性染料１３ａを昇華して布地１１の両面のうち一方の面（表面）に転写捺染するから、従来のオフセット印刷、スクリーン印刷等に使用される転写捺染装置と比較して、転写捺染装置１の消費電力を抑えることができ、これにより、転写捺染装置１から排出される二酸化炭素の排出量を低減することができる。また、請求項２の発明によれば、転写捺染工程Ｓ２において、表転写紙１３（転写紙）の昇華性染料１３ａを昇華して布地１１の表面に転写捺染するから、転写捺染後の水洗工程が不要になる。したがって、水洗工程に必要な水洗装置、脱水装置、排水装置、乾燥装置等を省略でき、これにより、転写捺染のコストをさらに低減することができる。
【００１４】
請求項３の発明によれば、重畳工程Ｓ１において、布地１１の両面のうち他方の面（裏面）にバックペーパ１４（下紙）が重ね合わせられるから、転写捺染工程Ｓ２において、昇華した昇華性染料１３ａが飛散して重畳体１０を搬送する押圧ベルト５が汚染されることを防止できるとともに、加熱ドラム４と押圧ベルト５とで重畳体１０の両面のうち一方の面（表面）を挟持して加熱押圧したときに、緩衝部材（クッション）として機能すると同時に、押圧ベルト５が布地１１に接触して布地１１が傷付くことを抑止できる。
【００１５】
請求項４の発明によれば、転写捺染工程Ｓ２において、裏転写紙１５（第２の転写紙）の昇華性染料１５ａが昇華することによって、布地１１の両面のうち他方の面（裏面）にさらに転写捺染するから、布地１１の外観意匠をさらに向上させることができる。
【図面の簡単な説明】
【００１６】
【図１】本発明の一実施形態に係る転写捺染方法による転写捺染装置を例示する側断面図である。
【図２】同実施形態に係る転写捺染方法の重畳工程を行うときの重畳体を例示する分解斜視図である。
【図３】同実施形態に係る転写捺染方法の転写捺染を行うとき及び転写捺染を行った後の重畳体を例示し、（ａ）は転写捺染を行うときのレース地の拡大平面図、（ｂ）は転写捺染を行った後の布地の拡大平面図である。
【図４】同実施形態に係る転写捺染方法の重畳工程を行うときの重畳体を例示する模式断面図である。
【図５】本発明の一実施形態の別の実施形態に係る転写捺染方法の重畳工程を行う前の重畳体を例示する模式断面図である。
【図６】本発明の一実施形態のさらに別の実施形態に係る転写捺染方法の重畳工程を行う前の重畳体を例示する模式断面図である。
【図７】本発明の一実施形態に係る転写捺染方法を例示するフローチャートである。
【発明を実施するための形態】
【００１７】
以下に、本発明に係る転写捺染方法による転写捺染装置１の一実施形態について、図面を参照して具体的に説明する。
【００１８】
転写捺染装置１は、図１に示すように、布地１１、レース地１２、表転写紙１３及びバックペーパ１４を前方（図１の右方向）に搬送し、図２及び図４に示すように、表転写紙１３、レース地１２、布地１１及びバックペーパ１４の順となるように図２及び図４の上側から下方向に重ね合わせて重畳体１０をなすようにしている（図７に示す重畳工程Ｓ１）。さらに、図１に示すように、加熱ドラム４と押圧ベルト５とで重畳体１０を挟持して加熱押圧することによって、図３（ｂ）に示すように、布地１１の表面にレース地１２の網目模様１２ａに対応する立体模様１１ａを転写捺染するとともに、布地１１の表面の立体模様１１ａ上に昇華性染料１３ａを転写捺染するようにしている（図７に示す転写捺染工程Ｓ２）。そしてさらに、図１に示すように、布地１１から、レース地１２、表転写紙１３及びバックペーパ１４を剥離することによって（図７に示す剥離工程Ｓ３）、立体模様１１ａ及び昇華性染料１３ａが転写捺染された布地１１を連続的に製造することができる昇華転写捺染装置である。ここで、布地１１に転写捺染するとは、布地１１の表面に立体模様１１ａを浮き彫り加工（凹凸加工、エンボス加工）すること、及び布地１１の表面の立体模様１１ａ上に昇華性染料１３ａを染色（捺染）することを意味する。詳細には、レース地１２の網目模様１２ａは、図３（ａ）に示すように、表裏を貫通する貫通孔（図３（ａ）において白色で示される部分）によって形成される模様であって、レース（図３（ａ）において黒色で示される部分）によって囲まれている。そして、図７に示す転写捺染工程Ｓ２が行われると、布地１１には、図３（ｂ）に示すように、布地１１の表面にレース地１２の網目模様１２ａに対応する立体模様１１ａが形成される。立体模様１１ａは、レース地１２の網目模様１２ａをなす貫通孔（図３（ａ）において白色で示される部分）が転写された凸形状の部分であって、図３（ｂ）において黒色で示される部分である。さらに、立体模様１１ａの全表面には、レース地１２の網目模様１２ａをなす貫通孔（図３（ａ）において白色で示される部分）を通過した昇華性染料１３ａが染色される。布地１１の図３（ｂ）において白色で示される部分は、レース地１２のレース（図３（ａ）において黒色で示される部分）が転写された凹形状の部分であって、図７に示す転写捺染工程Ｓ２が行われるときに昇華性染料１３ａが透過しないために、染色されない。なお、いずれも図示しないが、転写捺染装置１は、転写捺染を行う前の布地１１の布目を矯正する布目矯正装置と、布目が矯正された布地１１をセンタリングするセンタリング装置と、転写捺染が行われた後の布地１１を検反する検反装置と、を備えている。
【００１９】
布地１１は、被服、幕、旗等に使用される基布（布帛、生地）であって、ポリエステル、トリアセテート、アセテート、ナイロン（登録商標）等を単体又は混合して得られた繊維を縦横に組み合わせて織った織布又は不織布である。布地１１は、図１に示すように、加熱ドラム４の加熱及び押圧ベルト５の押圧に耐え得る耐熱性及び耐圧性を有するとともに、昇華性染料１３ａが昇華して染色可能な材料からなり、表面が平滑で肌触りの良好なものである。布地１１は、例えば、テトロン（登録商標）ポンジ、テトロン（登録商標）トロピカル等のポリエステル単体（ポリエステル１００％）、又はポリエステルに綿、レーヨン、アクリル、ウレタン、ナイロン（登録商標）等を混合した繊維から得られ、あるいは、綿、レーヨン、アクリル、ウレタン、ナイロン（登録商標）等の基布の表面にポリエステルを織り込んで得られる。さらに、布地１１は、単色又は多色であって、特に、昇華性染料１３ａが染色しやすい色が好ましい。
【００２０】
レース地１２は、綿、ポリエステル、レーヨン等を単体又は混合して得られた繊維を編み込み、図３（ａ）に示すように、透かし模様からなる網目模様１２ａを生成して布状にしたものであって、布地１１の表面にレース地１２の網目模様１２ａに対応する立体模様１１ａを浮き彫り加工（型押し）するための型紙として機能する。レース地１２は、図２に示すように、例えば、花柄模様となる網目模様１２ａが形成される。レース地１２は、図１に示すように、加熱ドラム４の加熱及び押圧ベルト５の押圧に耐え得る耐熱性及び耐圧性を有するとともに、布地１１よりも硬質な材料からなり、表面がざらざらとした触感を有するものである。レース地１２は、例えば、アニオン系のレギュラーポリエステル単体（ポリエステル１００％）、又はカチオン可染ポリエステル（ポリエステルＣＤＰ）単体（ポリエステル１００％）からなる繊維を編み込んで得られる。レース地１２は、繰り返し使用するために脱色・漂白が行われ、例えば、ポリエステルの素材色である白色（生成り色、未晒し色）である。
【００２１】
表転写紙１３は、図４に示すように、薄紙からなる剥離紙１３ｂと、剥離紙１３ｂの表面にインクジェット印刷等により剥離可能に印刷された昇華性染料１３ａと、を有する。昇華性染料１３ａは、例えば、界面活性剤（分散剤）により水溶液中に微小粒子に分散してポリエステル等の疎水性合成繊維を染色する分散染料であって、例えば、１５０度〜２２０度の高温で加熱されると昇華する染色インクである。昇華性染料１３ａは、単色又は多色であって、例えば、単色の昇華性染料１３ａが剥離紙１３ｂの表面の全面に印刷される。なお、布地１１の表面の立体模様１１ａ上に昇華性染料１３ａを転写捺染するとき、昇華性染料１３ａが布地１１の表面の立体模様１１ａ上の一部に染色されるように、昇華性染料１３ａは、剥離紙１３ｂの表面の一部に印刷されていてもよい。
【００２２】
バックペーパ１４は、図２及び図４に示すように、布地１１の裏面に重ね合わせられ、昇華性染料１３ａが染み込み可能な薄紙であって、例えば、透過紙、ハトロン紙等が使用される。本実施形態では、図７に示す重畳工程Ｓ１において、布地１１の裏面にバックペーパ１４が重ね合わせられるから、図７に示す転写捺染工程Ｓ２において、昇華した昇華性染料１３ａが飛散して重畳体１０を搬送する押圧ベルト５が汚染されることを防止できるとともに、加熱ドラム４と押圧ベルト５とで重畳体１０の表面を加熱押圧したときに、緩衝部材として機能すると同時に、押圧ベルト５が布地１１に接触して布地１１が傷付くことを抑止できる。
【００２３】
転写捺染装置１は、図１に示すように、布地１１を上方に繰り出し前方（図１の右方向）に供給する布地供給ロール２ａと、布地供給ロール２ａの後方（図１の左方向）に配置されレース地１２を上方に繰り出し前方に供給する図示しないレース地供給ロールと、布地供給ロール２ａの前方に配置されバックペーパ１４を前方に供給するバックペーパ供給ロール２ｂと、バックペーパ供給ロール２ｂの前方かつ上方に配置され表転写紙１３を下方に供給する表転写紙供給ロール２ｄと、表転写紙供給ロール２ｄの上方に配置され表転写紙１３を下方に供給する表転写紙供給ロール２ｅと、を備える。布地供給ロール２ａ、レース地供給ロール、表転写紙供給ロール２ｄ，２ｅ及びバックペーパ供給ロール２ｂは、それぞれ、円筒状のロールに布地１１、レース地１２、表転写紙１３及びバックペーパ１４が巻回されたものである。表転写紙供給ロール２ｄ，２ｅは、いずれか一方を選択使用可能なものであって、図１では、表転写紙供給ロール２ｄが使用される。
【００２４】
転写捺染装置１は、図１に示すように、布地供給ロール２ａから繰り出された布地１１を上方及び前方に案内する案内ロール３ａ〜３ｃと、レース地供給ロールから繰り出されたレース地１２を前方に繰り出す案内ロール３ｄと、バックペーパ供給ロール２ｂから繰り出されたバックペーパ１４を上方に繰り出す案内ロール３ｅと、表転写紙供給ロール２ｄ，２ｅ（図１では、表転写紙供給ロール２ｄ）から繰り出された表転写紙１３を下方に繰り出す案内ロール３ｆと、案内ロール３ａ〜３ｆを介して搬送された布地１１、レース地１２、表転写紙１３及びバックペーパ１４を、上側から表転写紙１３、レース地１２、布地１１及びバックペーパ１４の順となるように重ね合わせて重畳体１０をなしたものを挟持して、この重畳体１０の表面を押圧加熱するための加熱ドラム４及び押圧ベルト５と、押圧ベルト５の内周部に張力を付与しなら支持する案内ロール６ａ〜６ｇと、押圧ベルト５の張力を変更して重畳体１０の押圧圧力を調整する張力調整装置６ｈと、をさらに備える。
【００２５】
案内ロール３ａ〜３ｆは、図１に示すように、回転自在に設けられる円筒状のロールであって、布地１１、レース地１２、表転写紙１３及びバックペーパ１４の搬出方向を変更するものである。案内ロール３ｂは、案内ロール３ａから繰り出された布地１１の裏面と、案内ロール３ｅから繰り出されたバックペーパ１４の表面とを重ね合わせた状態で前方に搬送する。案内ロール３ｃは、案内ロール３ｄから繰り出されたレース地１２の裏面と、案内ロール３ｂから繰り出された布地１１及びバックペーパ１４の重畳物の表面（布地１１の表面）とを重ね合わせた状態で前方に搬送する。案内ロール３ｆから繰り出された表転写紙１３の裏面（図４に示す昇華性染料１３ａが印刷された面）と、案内ロール３ｃから繰り出されたレース地１２、布地１１及びバックペーパ１４の重畳物の表面（レース地１２の表面）とが重ね合わせられた重畳体１０が、加熱ドラム４と押圧ベルト５（案内ロール６ａの外周部）との隙間に進入する。加熱ドラム４は、図示しない駆動ベルトにより回転自在に設けられる金属製の円筒状部材であって、外周面を加熱可能な図示しないヒータを内部に有する。押圧ベルト５は、例えば、フエルト、不織布等からなる無端ベルト（エンドレスベルト）であって、コ字形状の凹陥部の外周面が加熱ドラム４の外周面に接触するように配置される。押圧ベルト５は、案内ロール６ａ〜６ｇ及び張力調整装置６ｈによって張力が付与された状態で支持され、加熱ドラム４の外周面は、押圧ベルト５の外周面によって押圧される。したがって、加熱ドラム４と押圧ベルト５との隙間に進入した重畳体１０は、加熱ドラム４の外周面と押圧ベルト５の外周面とで挟持され、加熱押圧される。重畳体１０が加熱ドラム４と押圧ベルト５とで挟持されて加熱押圧されることによって、図３（ｂ）に示すように、布地１１の表面にレース地１２の網目模様１２ａに対応する立体模様１１ａが転写捺染されるとともに、布地１１の表面の立体模様１１ａ上に昇華性染料１３ａが転写捺染される。案内ロール６ａ〜６ｇは、押圧ベルト５の内周部を回転可能に支持する円筒状のロールであって、押圧ベルト５を張設して支持するものである。張力調整装置６ｈは、例えば、空圧シリンダ又は油圧シリンダによって上下方向に移動自在かつ押圧ベルト５の内周部に接触する押圧ロールであって、この押圧ロールを上下方向に移動させることによって押圧ベルト５の張力を調整するものである。加熱ドラム４と押圧ベルト５との隙間に挟持された重畳体１０は、加熱ドラム４の回転に伴って、加熱ドラム４の外周面に沿って回転移動して搬送され、加熱ドラム４と押圧ベルト５（案内ロール６ｇの外周部）との隙間から、押圧ベルト５とともに外方に繰り出される。なお、加熱ドラム４及び押圧ベルト５の回転は、加熱ドラム４又は押圧ベルト５の何れか一方の回転に追従して回転させるか、又は、同時に回転させるか、あるいは、並行して回転させるようにすれば良い。
【００２６】
転写捺染装置１は、図１に示すように、加熱ドラム４と押圧ベルト５（案内ロール６ｇの外周部）との隙間から外方に繰り出された重畳体１０から表転写紙１３を剥離する案内ロール７ａと、案内ロール７ａから剥離された表転写紙１３を案内する案内ロール７ｂと、レース地１２、布地１１及びバックペーパ１４の重畳物からバックペーパ１４を剥離する案内ロール７ｃと、レース地１２及び布地１１の重畳物を案内する案内ロール７ｄと、案内ロール７ｄから案内されたレース地１２及び布地１１の重畳物からレース地１２を剥離する案内ロール７ｅと、案内ロール７ｅから案内されたレース地１２を引き込む駆動ロール７ｆと、案内ロール７ｄから案内されたレース地１２及び布地１１の重畳物から布地１１を剥離して引き込む駆動ロール７ｇと、駆動ロール７ｇから繰り出された布地１１を案内する案内ロール７ｈ〜７ｊと、案内ロール７ｂから繰り出された表転写紙１３を巻き取る表転写紙巻取ロール８ａと、案内ロール７ｃから繰り出されたバックペーパ１４を巻き取るバックペーパ巻取ロール８ｂと、駆動ロール７ｆから繰り出されたレース地１２を巻き取る図示しないレース地巻取ロールと、案内ロール７ｊから繰り出された布地１１を巻き取る図示しない布地巻取ロールと、をさらに備える。
【００２７】
案内ロール７ａ〜７ｅ，７ｈ〜７ｊは、回転自在に設けられる円筒状のロールであって、布地１１、レース地１２、表転写紙１３及びバックペーパ１４の搬出方向を変更するものである。駆動ロール７ｆ，７ｇは、レース地１２及び布地１１を引き込み可能に回転する円筒状のロールであって、図示しない駆動ベルトにより回転力が付与されるものである。図示しないレース地巻取ロール、表転写紙巻取ロール８ａ及びバックペーパ巻取ロール８ｂは、それぞれ、使用済みのレース地１２、表転写紙１３及びバックペーパ１４を巻き取るものであり、図示しない布地巻取ロールは、立体模様１１ａ及び昇華性染料１３ａが転写捺染された布地１１を巻き取るものである。
【００２８】
次に、上記の転写捺染装置１を使用して布地１１の表面にレース地１２の網目模様１２ａに対応する立体模様１１ａを転写捺染するより詳細な方法を図７のフローチャートも参照して説明することとする。
【００２９】
まず、図７に示す重畳工程Ｓ１は、布地１１の表面にレース地１２を重ね合わせる工程と、裏面（図４の下面）に昇華性染料１３ａが付着した表転写紙１３をレース地１２の表面（図４の上面）に重ね合わせる工程と、バックペーパ１４を布地１１の裏面（図４の下面）に重ね合わせる工程と、を有する。重畳工程Ｓ１では、表転写紙１３、レース地１２、布地１１及びバックペーパ１４の順となるように図２及び図４の上側から下方向に重ね合わせて重畳体１０をなす。詳細には、図１に示すように、布地１１は、布地供給ロール２ａから繰り出され、案内ロール３ａ〜３ｃを介して、加熱ドラム４と押圧ベルト５（案内ロール６ａの外周部）との隙間に搬送される。バックペーパ１４は、バックペーパ供給ロール２ｂから繰り出され、案内ロール３ｅ，３ｂ，３ｃを介して、加熱ドラム４と押圧ベルト５（案内ロール６ａの外周部）との隙間に搬送される。バックペーパ１４は、案内ロール３ｂにおいて、布地１１の裏面に重ね合わせられる。レース地１２は、図示しないレース地供給ロールから繰り出され、案内ロール３ｄ，３ｃを介して、加熱ドラム４と押圧ベルト５（案内ロール６ａの外周部）との隙間に搬送される。レース地１２は、案内ロール３ｃを介して、布地１１及びバックペーパ１４の重畳物の表面（布地１１の表面）に重ね合わせられる。表転写紙１３は、表転写紙供給ロール２ｄ，２ｅ（図１では、表転写紙供給ロール２ｄ）から繰り出され、案内ロール３ｆを介して、加熱ドラム４と押圧ベルト５（案内ロール６ａの外周部）との隙間に搬送される。表転写紙１３は、加熱ドラム４と押圧ベルト５（案内ロール６ａの外周部）との隙間において、レース地１２、布地１１及びバックペーパ１４の重畳物に重ね合わせられ、これにより、表転写紙１３、レース地１２、布地１１及びバックペーパ１４の順となるように図２及び図４の上側から下方向に重ね合わせて重畳体１０をなす。
【００３０】
次に、図７に示す転写捺染工程Ｓ２は、重畳体１０の表面を加熱押圧してレース地１２の網目模様１２ａ（図３（ａ）参照）に対応する立体模様１１ａ（図３（ｂ）参照）を布地１１の表面に転写捺染する工程を有する。転写捺染工程Ｓ２は、重畳体１０を加熱押圧しながら搬送する工程と、表転写紙１３の昇華性染料１３ａが昇華してレース地１２の網目を通過することによって、布地１１の表面にさらに転写捺染する工程と、をさらに有する。詳細には、図１に示すように、加熱ドラム４と押圧ベルト５（案内ロール６ａの外周部）との隙間に進入した重畳体１０は、加熱ドラム４と押圧ベルト５とで挟持されて加熱押圧され、布地１１の表面にレース地１２の網目模様１２ａに対応する立体模様１１ａが転写捺染されるとともに、布地１１の表面の立体模様１１ａ上に昇華性染料１３ａが転写捺染される。このとき、重畳体１０の加熱温度は、１５０度以上２２０度以下の範囲であり、重畳体１０の押圧圧力は、０．０５ＭＰａ以上０．７ＭＰａ以下の範囲であることが好ましい。また、重畳体１０は、加熱ドラム４の回転に伴って、加熱ドラム４の外周面に沿って回転移動して搬送され、加熱ドラム４と押圧ベルト５（案内ロール６ｇの外周部）との隙間から、押圧ベルト５とともに外方に繰り出される。このとき、重畳体１０の搬送速度は、１ｍ／ｍｉｎ以上１０ｍ／ｍｉｎ以下の範囲であることが好ましく、２ｍ／ｍｉｎ以上７ｍ／ｍｉｎ以下の範囲であることがより好ましい。重畳体１０の加熱温度、押圧圧力及び搬送速度を上記の範囲とすることにより、レース地１２の網目模様１２ａに対応する立体模様１１ａが布地１１の表面に確実に転写捺染されるから、さらに高級感のある外観意匠を呈することができる。
【００３１】
次に、図７に示す剥離工程Ｓ３は、布地１１からレース地１２を剥離する工程と、重畳工程Ｓ１において重ね合わされた表転写紙１３をレース地１２から剥離する工程と、重畳工程Ｓ１において重ね合わされたバックペーパ１４を布地１１から剥離する工程と、を有する。詳細には、図１に示すように、表転写紙１３は、案内ロール７ａによって、加熱ドラム４と押圧ベルト５（案内ロール６ｇの外周部）との隙間から外方に繰り出された重畳体１０から剥離される。バックペーパ１４は、案内ロール７ｃによって、レース地１２、布地１１及びバックペーパ１４の重畳物から剥離される。レース地１２は、案内ロール７ｅによって、レース地１２及び布地１１の重畳物から剥離される。この結果、立体模様１１ａ及び昇華性染料１３ａが転写捺染された布地１１は、駆動ロール７ｇによって引き込まれ、案内ロール７ｈ〜７ｊを介して、図示しない布地巻取ロールに巻き取られる。
【００３２】
しかして、本実施形態によれば、転写捺染方法は、重畳工程Ｓ１において、布地１１の表面にレース地１２を重ね合わせて重畳体１０をなし、転写捺染工程Ｓ２において、重畳体１０の表面を加熱押圧してレース地１２の網目模様１２ａに対応する立体模様１１ａを布地１１の表面に転写捺染し、剥離工程Ｓ３において、布地１１からレース地１２を剥離する。また、本実施形態では、転写捺染工程Ｓ２において、レース地１２の網目模様１２ａに対応する立体模様１１ａが布地１１の表面に転写捺染されるから、高級感のある外観意匠を呈することができる。さらに、本実施形態によれば、剥離工程Ｓ３において、レース地１２が布地１１から剥離され、布地１１の表面がざらざらとした触感を有することがないから、肌触りが良好な布地１１を提供することができる。
【００３３】
さらに、本実施形態によれば、転写捺染工程Ｓ２において、レース地１２の網目模様１２ａに対応する立体模様１１ａを布地１１の表面に転写捺染するから、例えば、レース地１２の網目模様１２ａに相当する凹凸型を有する金型ロールを製作する場合に比して、格段に安価な構成で転写捺染を行うことができる。また、転写捺染工程Ｓ２において、転写捺染を行ったレース地１２は、例えば、漂白や脱色を行うことにより再利用することが可能であるから、転写捺染のコストをさらに低減することができる。また、本実施形態によれば、転写捺染工程Ｓ２において、表転写紙１３の昇華性染料１３ａが昇華してレース地１２の網目を通過することによって、布地１１の表面にさらに転写捺染するから、布地１１の外観意匠をより向上させることができる。さらに、本実施形態によれば、転写捺染工程Ｓ２において、表転写紙１３の昇華性染料１３ａを昇華して布地１１の表面に転写捺染するから、従来のオフセット印刷、スクリーン印刷等に使用される転写捺染装置と比較して、転写捺染装置１の消費電力を抑えることができ、これにより、転写捺染装置１から排出される二酸化炭素の排出量を低減することができる。また、本実施形態によれば、転写捺染工程Ｓ２において、表転写紙１３の昇華性染料１３ａを昇華して布地１１の表面に転写捺染するから、転写捺染後の水洗工程が不要になる。したがって、水洗工程に必要な水洗装置、脱水装置、排水装置、乾燥装置等を省略でき、これにより、転写捺染のコストをさらに低減することができる。
【００３４】
一方、本実施形態の転写捺染装置１は、立体模様１１ａ及び昇華性染料１３ａが布地１１の表面に印刷（片面印刷）されていたが、これに限定されるものではなく、図５に示すように、バックペーパ１４に代えて、裏転写紙１５を設けることによって、昇華性染料１５ａが布地１１の裏面に印刷（両面印刷）されていてもよい。
【００３５】
本実施形態の変形例（別実施形態）に係る転写捺染装置１は、図１に示すように、裏転写紙１５を上方に繰り出し前方に供給する裏転写紙供給ロール２ｃをさらに備える。裏転写紙供給ロール２ｃは、円筒状のロールに裏転写紙１５が巻回されたものである。裏転写紙供給ロール２ｃから繰り出された裏転写紙１５は、案内ロール３ｂ，３ｃを介して、加熱ドラム４と押圧ベルト５（案内ロール６ａの外周部）との隙間に搬送される。案内ロール３ｂは、案内ロール３ａから繰り出された布地１１の裏面と、裏転写紙供給ロール２ｃから繰り出された裏転写紙１５の表面（図５に示す昇華性染料１５ａが印刷された面）とを重ね合わせた状態で前方に搬送する。案内ロール３ｃは、案内ロール３ｄから繰り出されたレース地１２の裏面と、案内ロール３ｂから繰り出された布地１１及び裏転写紙１５の重畳物の表面（布地１１の表面）とを重ね合わせた状態で前方に搬送する。案内ロール３ｆから繰り出された表転写紙１３の裏面（図４に示す昇華性染料１３ａが印刷された面）と、案内ロール３ｃから繰り出されたレース地１２、布地１１及び裏転写紙１５の重畳物の表面（レース地１２の表面）とが重ね合わせられた重畳体１０が、加熱ドラム４と押圧ベルト５（案内ロール６ａの外周部）との隙間に進入する。加熱ドラム４と押圧ベルト５との隙間に進入した重畳体１０は、加熱ドラム４の外周面と押圧ベルト５の外周面とで挟持され、加熱押圧される。重畳体１０が加熱ドラム４と押圧ベルト５とで挟持されて加熱押圧されることによって、布地１１の表面にレース地１２の網目模様１２ａに対応する立体模様１１ａが転写捺染されるとともに、布地１１の表面の立体模様１１ａ上に昇華性染料１３ａが転写捺染されると同時に、布地１１の裏面に昇華性染料１５ａが転写捺染される。加熱ドラム４と押圧ベルト５との隙間に挟持された重畳体１０は、加熱ドラム４の回転に伴って、加熱ドラム４の外周面に沿って回転移動して搬送され、加熱ドラム４と押圧ベルト５（案内ロール６ｇの外周部）との隙間から、押圧ベルト５とともに外方に繰り出される。加熱ドラム４と押圧ベルト５（案内ロール６ｇの外周部）との隙間から外方に繰り出された重畳体１０は、案内ロール７ａ，７ｂによって、表転写紙１３が剥離され、案内ロール７ｃによって、レース地１２、布地１１及び裏転写紙１５の重畳物から裏転写紙１５が剥離される。案内ロール７ｃから繰り出された裏転写紙１５は、裏転写紙巻取ロール８ｃに巻き取られる。なお、裏転写紙巻取ロール８ｃは、バックペーパ巻取ロール８ｂと同一のものである。裏転写紙１５が剥離されたレース地１２及び布地１１の重畳物は、案内ロール７ｅによって、レース地１２が剥離される。立体模様１１ａ、昇華性染料１３ａ及び昇華性染料１５ａが転写捺染された布地１１は、駆動ロール７ｇ、案内ロール７ｈ〜７ｊを介して、図示しない布地巻取ロールに巻き取られる。
【００３６】
裏転写紙１５は、図５に示すように、薄紙からなる剥離紙１５ｂと、剥離紙１５ｂの表面にインクジェット印刷等により剥離可能に印刷された昇華性染料１５ａと、を有する。昇華性染料１５ａは、昇華性染料１３ａと同一のものである。裏転写紙１５は、布地１１の裏面に昇華性染料１５ａを転写捺染するとき、昇華性染料１５ａが布地１１の裏面の全部に染色されるように、昇華性染料１５ａは、剥離紙１５ｂの表面の全部に印刷される。
【００３７】
次に、本実施形態の変形例（別実施形態）に係る転写捺染装置１を使用して布地１１の表面にレース地１２の網目模様１２ａに対応する立体模様１１ａを転写捺染するより詳細な方法を図７のフローチャートも参照して説明することとする。
【００３８】
まず、図７に示す重畳工程Ｓ１は、布地１１の表面にレース地１２を重ね合わせる工程と、裏面（図５の下面）に昇華性染料１３ａが付着した表転写紙１３をレース地１２の表面（図５の上面）に重ね合わせる工程と、裏転写紙１５を布地１１の裏面（図５の下面）に重ね合わせる工程と、を有する。重畳工程Ｓ１では、表転写紙１３、レース地１２、布地１１及び裏転写紙１５の順となるように図５の上側から下方向に重ね合わせて重畳体１０をなす。詳細には、図１に示すように、布地１１は、布地供給ロール２ａから繰り出され、案内ロール３ａ〜３ｃを介して、加熱ドラム４と押圧ベルト５（案内ロール６ａの外周部）との隙間に搬送される。裏転写紙１５は、裏転写紙供給ロール２ｃから繰り出され、案内ロール３ｂ，３ｃを介して、加熱ドラム４と押圧ベルト５（案内ロール６ａの外周部）との隙間に搬送される。裏転写紙１５は、案内ロール３ｂにおいて、布地１１の裏面に重ね合わせられる。レース地１２は、図示しないレース地供給ロールから繰り出され、案内ロール３ｄ，３ｃを介して、加熱ドラム４と押圧ベルト５（案内ロール６ａの外周部）との隙間に搬送される。レース地１２は、案内ロール３ｃにおいて、布地１１及び裏転写紙１５の重畳物の表面（布地１１の表面）に重ね合わせられる。表転写紙１３は、表転写紙供給ロール２ｄ，２ｅ（図１では、表転写紙供給ロール２ｄ）から繰り出され、案内ロール３ｆを介して、加熱ドラム４と押圧ベルト５（案内ロール６ａの外周部）との隙間に搬送される。表転写紙１３は、加熱ドラム４と押圧ベルト５（案内ロール６ａの外周部）との隙間において、レース地１２、布地１１及び裏転写紙１５の重畳物に重ね合わせられ、これにより、表転写紙１３、レース地１２、布地１１及び裏転写紙１５の順となるように図５の上側から下方向に重ね合わせて重畳体１０をなす。
【００３９】
次に、図７に示す転写捺染工程Ｓ２は、重畳体１０の表面を加熱押圧してレース地１２の網目模様１２ａ（図３（ａ）参照）に対応する立体模様１１ａ（図３（ｂ）参照）を布地１１の表面に転写捺染する工程を有する。転写捺染工程Ｓ２は、重畳体１０を加熱押圧しながら搬送する工程と、表転写紙１３の昇華性染料１３ａが昇華してレース地１２の網目を通過することによって、布地１１の表面にさらに転写捺染する工程と、裏転写紙１５の昇華性染料１５ａが昇華することによって、布地１１の裏面にさらに転写捺染する工程と、をさらに有する。詳細には、図１に示すように、加熱ドラム４と押圧ベルト５（案内ロール６ａの外周部）との隙間に進入した重畳体１０は、加熱ドラム４と押圧ベルト５とで挟持されて加熱押圧され、布地１１の表面にレース地１２の網目模様１２ａに対応する立体模様１１ａが転写捺染されるとともに、布地１１の表面の立体模様１１ａ上に昇華性染料１３ａが転写捺染されると同時に、布地１１の裏面に昇華性染料１５ａが転写捺染される。
【００４０】
次に、図７に示す剥離工程Ｓ３は、布地１１からレース地１２を剥離する工程と、重畳工程Ｓ１において重ね合わされた表転写紙１３をレース地１２から剥離する工程と、重畳工程Ｓ１において重ね合わされた裏転写紙１５を布地１１から剥離する工程と、を有する。詳細には、図１に示すように、表転写紙１３は、案内ロール７ａによって、加熱ドラム４と押圧ベルト５（案内ロール６ｇの外周部）との隙間から外方に繰り出された重畳体１０から剥離される。裏転写紙１５は、案内ロール７ｃによって、レース地１２、布地１１及び裏転写紙１５の重畳物から剥離される。レース地１２は、案内ロール７ｅによって、レース地１２及び布地１１の重畳物から剥離される。この結果、立体模様１１ａ、昇華性染料１３ａ及び昇華性染料１５ａが転写捺染された布地１１は、駆動ロール７ｇによって引き込まれ、案内ロール７ｈ〜７ｊを介して、図示しない布地巻取ロールに巻き取られる。
【００４１】
しかして、本実施形態の変形例（別実施形態）によれば、転写捺染工程Ｓ２において、裏転写紙１５の昇華性染料１５ａが昇華することによって、布地１１の裏面にさらに転写捺染するから、布地１１の外観意匠をさらに向上させることができる。
【００４２】
また一方、本実施形態の転写捺染装置１では、立体模様１１ａ及び昇華性染料１３ａが転写捺染されていたが、図６に示すように、表転写紙１３を設けないことによって、立体模様１１ａのみを転写捺染する構成であってもよい。
【００４３】
本実施形態の別の変形例（別実施形態）に係る転写捺染装置１は、図１に示すように、布地供給ロール２ａから繰り出された布地１１は、案内ロール３ａ〜３ｃを介して、加熱ドラム４と押圧ベルト５（案内ロール６ａの外周部）との隙間に搬送される。レース地供給ロールから繰り出されたレース地１２は、案内ロール３ｄ，３ｃを介して、加熱ドラム４と押圧ベルト５（案内ロール６ａの外周部）との隙間に搬送される。バックペーパ供給ロール２ｂから繰り出されたバックペーパ１４は、案内ロール３ｅを介して、加熱ドラム４と押圧ベルト５（案内ロール６ａの外周部）との隙間に搬送される。案内ロール３ｃは、案内ロール３ｄから繰り出されたレース地１２の裏面と、案内ロール３ｂから繰り出された布地１１及びバックペーパ１４の重畳物の表面（布地１１の表面）とを重ね合わせて重畳体１０をなして、この重畳体１０が、加熱ドラム４と押圧ベルト５（案内ロール６ａの外周部）との隙間に進入する。加熱ドラム４と押圧ベルト５との隙間に進入した重畳体１０は、加熱ドラム４の外周面と押圧ベルト５の外周面とで挟持され、加熱押圧される。重畳体１０が加熱ドラム４と押圧ベルト５とで挟持されて加熱押圧されることによって、布地１１の表面にレース地１２の網目模様１２ａに対応する立体模様１１ａが転写捺染される。加熱ドラム４と押圧ベルト５との隙間に挟持された重畳体１０は、加熱ドラム４の回転に伴って、加熱ドラム４の外周面に沿って回転移動して搬送され、加熱ドラム４と押圧ベルト５（案内ロール６ｇの外周部）との隙間から、押圧ベルト５とともに外方に繰り出される。加熱ドラム４と押圧ベルト５（案内ロール６ｇの外周部）との隙間から外方に繰り出された重畳体１０は、案内ロール７ｃによって、バックペーパ１４が剥離される。バックペーパ１４が剥離されたレース地１２及び布地１１の重畳物は、案内ロール７ｅによって、レース地１２が剥離される。立体模様１１ａが転写捺染された布地１１は、駆動ロール７ｇ、案内ロール７ｈ〜７ｊを介して、図示しない布地巻取ロールに巻き取られる。
【００４４】
次に、本実施形態の別の変形例（別実施形態）に係る転写捺染装置１を使用して布地１１の表面にレース地１２の網目模様１２ａに対応する立体模様１１ａを転写捺染するより詳細な方法を図７のフローチャートも参照して説明することとする。
【００４５】
まず、図７に示す重畳工程Ｓ１は、布地１１の表面にレース地１２を重ね合わせる工程を有する。重畳工程Ｓ１では、レース地１２及び布地１１の順となるように図６の上側から下方向に重ね合わせて重畳体１０をなす。詳細には、図１に示すように、布地１１は、布地供給ロール２ａから繰り出され、案内ロール３ａ〜３ｃを介して、加熱ドラム４と押圧ベルト５（案内ロール６ａの外周部）との隙間に搬送される。レース地１２は、図示しないレース地供給ロールから繰り出され、案内ロール３ｄ，３ｃを介して、加熱ドラム４と押圧ベルト５（案内ロール６ａの外周部）との隙間に搬送される。レース地１２は、案内ロール３ｃを介して、布地１１の表面に重ね合わせられて加熱ドラム４と押圧ベルト５（案内ロール６ａの外周部）との隙間に搬送され、これにより、レース地１２及び布地１１の順となるように図６の上側から下方向に重ね合わせて重畳体１０をなす。
【００４６】
次に、図７に示す転写捺染工程Ｓ２は、重畳体１０の表面を加熱押圧してレース地１２の網目模様１２ａ（図３（ａ）参照）に対応する立体模様１１ａ（図３（ｂ）参照）を布地１１の表面に転写捺染する工程を有する。転写捺染工程Ｓ２は、重畳体１０を加熱押圧しながら搬送する工程をさらに有する。詳細には、図１に示すように、加熱ドラム４と押圧ベルト５（案内ロール６ａの外周部）との隙間に進入した重畳体１０は、加熱ドラム４と押圧ベルト５とで挟持されて加熱押圧され、布地１１の表面にレース地１２の網目模様１２ａに対応する立体模様１１ａが転写捺染される。
【００４７】
次に、図７に示す剥離工程Ｓ３は、布地１１からレース地１２を剥離する工程を有する。詳細には、図１に示すように、バックペーパ１４は、案内ロール７ｃによって、レース地１２及び布地１１の重畳物から剥離される。レース地１２は、案内ロール７ｅによって、レース地１２及び布地１１の重畳物から剥離される。この結果、立体模様１１ａが転写捺染された布地１１は、駆動ロール７ｇによって引き込まれ、案内ロール７ｈ〜７ｊを介して、図示しない布地巻取ロールに巻き取られる。
【００４８】
しかして、本実施形態の別の変形例（別実施形態）においても、転写捺染工程Ｓ２において、レース地１２の網目模様１２ａに対応する立体模様１１ａが布地１１の表面に転写捺染されるから、高級感のある外観意匠を呈することができる。さらに、本実施形態の別の変形例においても、剥離工程Ｓ３において、レース地１２が布地１１から剥離され、布地１１の表面が露出するから、肌触りが良好な布地１１を提供することができる。
【００４９】
なお、本実施形態の転写捺染装置１は、立体模様１１ａ及び昇華性染料１３ａが転写捺染された布地１１を連続的に製造するドラム式の昇華転写捺染装置であったが、これに限定されるものではなく、例えば、上から表転写紙１３、レース地１２、布地１１及びバックペーパ１４の順となるように重ね合わせた重畳体１０をプレス台に載置し、平板からなるプレス板で重畳体１０の表面を加熱押圧することによって、立体模様１１ａ及び昇華性染料１３ａが転写捺染された布地１１を１枚ずつ製造するプレス式の昇華転写捺染装置であってもよい。
【符号の説明】
【００５０】
１                      転写捺染装置
２ａ                    布地供給ロール
２ｂ                    バックペーパ供給ロール
２ｃ                    裏転写紙供給ロール
２ｄ，２ｅ              表転写紙供給ロール
３ａ〜３ｆ              案内ロール
４                      加熱ドラム
５                      押圧ベルト
６ａ〜６ｇ              案内ロール
６ｈ                    張力調整装置
７ａ〜７ｅ，７ｈ〜７ｊ  案内ロール
７ｆ，７ｇ              駆動ロール
８ａ                    表転写紙巻取ロール
８ｂ                    バックペーパ巻取ロール
８ｃ                    裏転写紙巻取ロール
１０                    重畳体
１１                    布地
１１ａ                  立体模様
１２                    レース地
１２ａ                  網目模様
１３                    表転写紙（転写紙）
１３ａ                  昇華性染料
１３ｂ                  剥離紙
１４                    バックペーパ（下紙）
１５                    裏転写紙（第２の転写紙）
１５ａ                  昇華性染料
１５ｂ                  剥離紙
Ｓ１                    重畳工程
Ｓ２                    転写捺染工程
Ｓ３                    剥離工程
【図１】
2017057509.tif 000003
【図２】
2017057509.tif 000004
【図３】
2017057509.tif 000005
【図４】
2017057509.tif 000006
【図５】
2017057509.tif 000007
【図６】
2017057509.tif 000008
【図７】
2017057509.tif 000009